(57)【要約】      （修正有）【課題】電力供給の有無を切り替えることができるタッチパネル式電源コンセントを提供する。【解決手段】タッチパネル式電源コンセント１０は、ケース１１、コンセント本体１２、カバー１３、タッチパネルモジュール１４を備えている。ケース１２は、ハウジング１１１及び固定部１１２を備えている。ハウジング１１１は、埋め込み空間Ｃ１及び開口部Ｏ１を備えており、固定部１１２はハウジング１１１に沿って設けられ、開口部Ｏ１を露出させている。コンセント本体１２は、キャリアー１２１、及びキャリアー１２１上に備え付けられた差込口接点ユニット１２２及び制御モジュール１２３を備えている。キャリアー１２１は開口部Ｏ１にはめ込むかたちで固定され、差込口接点ユニット１２２は制御モジュール１２３と電気的に接続されている。カバー１３は、ケース１１の固定部１１２に固定され、差込口１３１とタッチパネルエリア１３２を備えている。【選択図】図１
0003195918.tif 000002
【実用新案登録請求の範囲】
【請求項１】
ハウジングと固定部を有し、そのハウジングが埋め込み空間及びその埋め込み空間を外部に露出させる開口部をもち、その固定部がそのハウジングに沿って設けられ、その開口部を外部に露出させているケースと、
キャリアー、及びそのキャリアー上に設けられている差込口接点ユニット及び制御モジュールを有し、そのキャリアーが、前記ハウジングの開口部に合わせて設置され、その差込口接点ユニットがその制御モジュールと電気的に接続されているコンセント本体と、
前記制御モジュールが、プロセッサユニット、及び、入力端子、出力端子、制御端子を有し、その出力端子が前記差込口接点ユニットと電気的に接続され、その制御端子が前記プロセッサユニットと電気的に接続され、そのプロセッサユニットがその入力端子とその出力端子の間の通電と非通電を制御する切替ユニット、及び、前記プロセッサユニットと電気的に接続されている無線信号送信ユニットと、
前記ケースの固定部に固定され、差込口及びタッチパネルエリアを有し、その差込口が前記コンセント本体における差込口接点ユニットに合わせて設置されているカバーと、
前記キャリアーと前記カバーの間に位置し、そのカバーのタッチパネルエリアに合わせて設置され、前記制御モジュールのプロセッサユニットと電気的に接続されているタッチパネルモジュールと、を備えることを特徴とする、
タッチパネル式電源コンセント。
【考案の詳細な説明】
【技術分野】
【０００１】
本考案は電源コンセントに係り、特に電力供給の有無を切り替えることができるタッチパネル式電源コンセントに関するものである。
【背景技術】
【０００２】
ほとんどの電気製品または電子デバイスを動作させるには、電力により駆動させる必要がある。電力は通常、電力会社が送電線及び配電線を経て建物の中に引き入れた電源を源とする。建物の中には電源コンセントが配置されており、ここに電気製品または電子デバイスのプラグを差し込んで接続して電力を得て、電気製品または電子デバイスを動作させる。
【０００３】
しかし、すべてのコンセントが常にプラグを差し込まれているわけではなく、未接続のコンセントは差込口を外部にさらしたままである。周囲の利用者、特に子どもが、不注意で金属物を差込口に差し込んだりすると短絡を起こし、軽ければコンセントが焼け付き、重大なケースでは火災が発生する。
【０００４】
そのため、開閉器付きコンセントを出している業者もある。これはコンセントのそばに機械式開閉器を設けたもので、コンセントの通電の有無の切替ができるのだが、機械式開閉器は一つの突出物であり、外部から物が当たる確率が増し、しかも開閉を繰り返して切替時の感触を楽しむ子どももいるため、安全面での不安が残る。
【０００５】
いかにしてより安全なコンセントを提供して利用者と子どもが誤って触れる確率を減らすかというのが重要な課題であり、業界が努力して達成すべき目標でもある。
【考案の概要】
【考案が解決しようとする課題】
【０００６】
本考案の目的は、タッチパネル方式で電力供給の有無を切り替えることができる、安全性の高い電源コンセントを提供することにある。電源コンセントを使わないときは、子どもや利用者が誤って触れないよう、電力が遮断される。
【課題を解決するための手段】
【０００７】
前記目的を達成するため、本考案が提供するタッチパネル式電源コンセントは、ケース、コンセント本体、カバー、タッチパネルモジュールを備えている。ケースは、ハウジング及び固定部を備えている。ハウジングは、埋め込み空間及び開口部を備えており、固定部はハウジングに沿って設けられ、開口部を露出させている。コンセント本体は、キャリアー、及びキャリアー上に備え付けられた差込口接点ユニット及び制御モジュールを備えている。キャリアーは開口部にはめ込むかたちで固定され、差込口接点ユニットは制御モジュールと電気的に接続されている。カバーは、ケースの固定部に固定され、差込口とタッチパネルエリアを備えている。差込口は、コンセント本体の差込口接点ユニットに重なるように取り付ける。タッチパネルモジュールは、キャリアーとカバーの間に位置し、カバーのタッチパネルエリアに合わせて設置されており、制御モジュールと電気的に接続されている。
【０００８】
本考案の実施例によると、制御モジュールは、プロセッサユニット及び切替ユニットを備えている。プロセッサユニットは、電源供給モジュール及び切替ユニットと電気的に接続されている。切替ユニットは、入力端子、出力端子、制御端子を備えている。出力端子は差込口接点ユニットと電気的に接続され、制御端子はプロセッサユニットと電気的に接続され、プロセッサユニットが入力端子と出力端子の間の通電と非通電を制御する。
【０００９】
本考案の実施例によると、制御モジュールは無線信号送信ユニットを備え、これがプロセッサユニットと電気的に接続されており、無線信号を送信または受信する。
【考案の効果】
【００１０】
上記の構成により、本考案のタッチパネル式電源コンセントは、タッチパネルによって差込口接点ユニットへの電力供給の有無を制御する。こうすることで、利用者または子どもが誤って触れる確率を低下させ、家庭における電気使用上の安全性を向上させるものである。
【図面の簡単な説明】
【００１１】
【図１】本考案タッチパネル式電源コンセントの代表的な実施例を示す分解図である。
【図２】本考案の代表的な実施例における電気回路の構造を示す構造図である。
【図３】本考案の代表的な実施例におけるタッチ動作設定を示すフローチャートである。
【図４】本考案の代表的な実施例のうち、別の電気回路の構造を示す構造図である。
【図５】本考案の代表的な実施例のうち、また別の電気回路の構造を示す構造図である。
【図６】本考案タッチパネル式電源コンセントの第二の実施例を示す分解図である。
【図７】本考案の別の実施例における電気回路の構造を示す構造図である。
【考案を実施するための形態】
【００１２】
以下、実施例を通して本考案の内容を説明する。本考案の実施例は、決して実施例において述べた環境、用法または特殊な方法に限定するものではない。従って、実施例の説明は、本考案の目的を叙述するためであって、本考案に制限を加えるためではない。
以下の実施例及び図においては、本考案と直接に係わりのない部分については省略し、図示もしておらず、図中における各部の相対的な大きさの関係は、説明を容易にするためであって、実際の比率に制限を加えるものではない。
【００１３】
図１及び図２に示すように、本考案の代表的な実施例であるタッチパネル式電源コンセント１０は、ケース１１、コンセント本体１２、カバー１３、タッチパネルモジュール１４及び電源供給モジュール１５を備えている。この実施例において、タッチパネル式電源コンセント１０は建築構造物の表面または設備の表面に固定することができ、別段制限を受けることなく、開口部のある場所に設置することができる。
【００１４】
ケース１１は、ハウジング１１１及び固定部１１２を備えている。この実施例において、ケース１１の材質は、プラスチック、金属またはアクリルであり、金属ではアルミが代表的である。ハウジング１１１は埋込み空間Ｃ１及び開口部Ｏ１を備え、ひとつの底面及び四つの側壁で構成されている。固定部１１２は開口部Ｏ１に沿ってハウジング１１１と連結され、開口部Ｏ１が露出している。このほか、ハウジング１１１の底面には、電力を導き入れる電線を通過させる穴（図中には未表示）を備えている。
【００１５】
この実施例において、ケース１１は第一連接部１１３、第二連接部１１４及び第三連接部１１５を備えている。
第一連接部１１３は、通常は二つの穴で、固定部１１２の両端にあり、固定具を第一連接部１１３に通した後、コンセントを固定したい表面に固定する。第二連接部１１４は、ハウジング１１１の四つの側壁にあり、たとえば四つのめねじ穴であり、それぞれが四つの側壁に取り付けられている。第三連接部１１５は固定部１１２の表面に設けられている。第二連接部１１４及び第三連接部１１５の連接方法は後述する。
【００１６】
コンセント本体１２は、キャリアー１２１、並びにキャリアー１２１に設けられた差込口接点ユニット１２２及び制御モジュール１２３を備えている。キャリアー１２１は、ハウジング１１１の開口部Ｏ１にはめ込むかたちとなっているプリント基板、ガラス基板、またはフレキシブル基板であり、第一表面１２１１及び第二表面１２１２を備えている。差込口接点ユニット１２２は、キャリアー１２１の電気回路によって制御モジュール１２３と電気的に接続されている。
【００１７】
コンセント本体１２は第四連接部１２４を有し、この第四連接部１２４は、はめ込み、磁石、ねじによる締付けといった方法により、第二連接部１１４と相互に連接される。
この実施例においては、第四連接部１２４と第二連接部１１４はねじ締付けによって相互に連接されており、開口部Ｏ１においてコンセント本体１２をケース１１にしっかりと固定する。
【００１８】
差込口接点ユニット１２２は、差込口１２２１及び接点機構１２２２を備えている。差込口１２２１は、キャリアー１２１の第一表面１２１１及び第二表面１２１２を貫通する穴である。接点機構１２２２は、差込口１２２１におけるキャリアー１２１の第二表面１２１２側にあり、電源２０と電気的に接続されている（第２図参照）。この実施例において、差込口１２２１の三つの穴がプラグと連接することにより、プラグの金属部分が接点機構１２２２と電気的に接続されて、電源２０が接点機構１２２２を経由してプラグに送られる。
【００１９】
この実施例において、電気的に接続された制御モジュール１２３及び電源供給モジュール１５が、キャリアー１２１の第二表面１２１２に設置され、制御モジュール１２３は、キャリアー１２１の電気回路によって差込口接点ユニット１２２と電気的に接続されている。第２図に示すように、制御モジュール１２３は、プロセッサユニット１２３２及び切替ユニット１２３３を備えている。
【００２０】
電源供給モジュール１５は、ひとつ以上の電源であり、制御モジュール１２３における電気駆動ユニットに電源を供給する。この実施例においては電源供給モジュール１５に電池を用い、直流電源をプロセッサユニット１２３２に供給するが、他の実施例においては、電源供給モジュール１５がタッチパネルモジュール１４にも直流電源を供給する例もある。
プロセッサユニット１２３２は、電源供給モジュール１５及び切替ユニット１２３３と電気的に接続されている。切替ユニット１２３３は、入力端子ＩＰ、出力端子ＯＰ、及び制御端子ＣＰを備え、出力端子ＯＰは差込口接点ユニット１２２と電気的に接続され、制御端子ＣＰはプロセッサユニット１２３２と電気的に接続されており、プロセッサユニット１２３２は入力端子ＩＰと出力端子與ＯＰの間における通電と非通電を制御できる。切替ユニット１２３３は、継電器、ソリッドステートリレー（ＳＳＲ）、またはサイリスタが考えられるが、この実施例においては継電器を用いる。
【００２１】
カバー１３の材質は、プラスチック、アクリル、ガラスのいずれかで、カバー１３は、差込口１３１及びタッチパネルエリア１３２を備えている。差込口１３１はコンセント本体１２における差込口接点ユニット１２２の差込口１２２１に合わせて設けられており、言い換えると、プラグは差込口１３１と差込口１２２１を経由して接点機構１２２２と電気的に接続される。
タッチパネルエリア１３２は、平面、凸面。凹面といった制限を加えないが、凸面または凹面のときは、利用者がタッチパネルエリアの位置を判別しやすくなり、パネルの感度を上げる方法のひとつでもある。
【００２２】
カバー１３は第五連接部１３３を有し、第五連接部１３３は、ケース１１の固定部１１２に向き合う側のカバー１３上に設けられている。この第五連接部１３３は、はめ込み、磁石、ねじによる締付けといった方法により、第三連接部１１５と相互に連接される。
この実施例においては、第五連接部１３３と第三連接部１１５ははめ込みによって相互に連接されており、前者がツメ、後者がツメ受けとなる。
【００２３】
さらに、カバー１３はシールド層１３４を備えている。シールド層１３４は、カバー１３がコンセント本体１２に向き合う面に設けられており、印刷用インクなど、光の透過率が低い、或いは光を透過しない材質を用いており、利用者がタッチパネルエリア１３２の側からタッチパネル式電源コンセント１０を見るとき、コンセント本体１２などの内部パーツを見えないようにして、外観を整える働きをする。
【００２４】
タッチパネルモジュール１４は、抵抗膜式、静電容量式、または光学式で、カバー１３のタッチパネルエリア１３２に合わせて、キャリアー１２１とカバー１３の間に設置されており、プロセッサユニット１２３２と電気的に接続されている。
この実施例においては、タッチパネルモジュール１４は、静電容量式タッチパネルを用いている。ここにおいて、タッチパネルモジュール１４が静電容量式の場合、利用者の指とタッチパネルモジュール１４の距離を短縮してパネルの感度を上げるため、カバー１３のタッチパネルエリア１３２は凹面が望ましい。
【００２５】
また、この実施例においては、タッチパネルモジュール１４はキャリアー１２１の第一表面１２１１に設ける。タッチパネルモジュール１４の主な材質は銅箔、或いは酸化インジウム錫またはカーボンナノチューブの透明導電フィルムである。
【００２６】
上述を受けて、本考案の代表的な実施例におけるタッチパネル式電源コンセント１０は、国際電気標準会議（ＩＥＣ）の標準規格に適合する電源コンセントで、現行のコンセントと同一サイズを有し、コンセントサイズに対するほとんどの要求を満たし、現有のコンセントと容易に取り換え可能である。利用者は指のタッチで電源コンセントへの電力供給の有無を切り替えることができるので、不使用時には開閉を切っておけば、誤って触れても安全である。
【００２７】
また、安全性を高めるため、タッチ動作で電力供給の有無を切り替える過程において、単にタップするだけでなく、指の動作を特定して、電源供給の有無を切り替えることができる。より複雑な動作で切り替えるようにすれば、誤ってタッチしてしまうことにより安全性が低下することを避けられる。
【００２８】
実際に応用する際には、利用者が指の動作を設定する。以下、図３を参照しながら、指の動作の設定方法を例を挙げて説明する。
【００２９】
Ｓ０１：指の動作設定モードに入る。あらかじめ設定済みの時間（３秒、５秒など）だけタッチパネルエリアを長押しする、或いはあらかじめ設定済みの時間だけタッチパネルエリアに触れ続ける、といったコマンドを経て、指の動作設定モードに入る。
【００３０】
Ｓ０２：利用者が新しい指の動作を入力する。スワイプの方向やタップの回数、或いは両者の組合せなど、利用者がお好みの指の動作を入力できる。
【００３１】
Ｓ０３：タッチパネル式電源コンセント１０が利用者に対して新しい動作を確認するよう表示する。たとえば、タッチパネル式電源コンセント１０が音を発する、言語音声を発する、インジケータ表示するなどして、利用者が新しく設定した指の動作を繰り返すよう求める。
【００３２】
Ｓ０４：二度行われた指の動作が同じかどうか、プロセッサユニット１２３２が判断する。入力された指の動作が同じならば、Ｓ０５に進み、この動作がストレージに記憶される。二度行われた指の動作が異なれば、Ｓ０２に戻り、入力をやり直すよう求める。
【００３３】
この実施例においては、ストレージはプロセッサユニット１２３２の中に設けており、他の実施例においてはストレージを独立ユニットとしてもよいが、ここでは詳述せず、制限を加えない。
【００３４】
図４に示すように、本考案であるタッチパネル式電源コンセント１０の代表的な実施例では、制御モジュール１２３に電流監視ユニット１２３４を設けてもよい。電流監視ユニット１２３４は、切替ユニット１２３３、プロセッサユニット１２３２及び電源供給モジュール１５と電気的に接続されている。
この実施例においては、電流監視ユニット１２３４は切替ユニット１２３３の入力端子ＩＰと電気的に接続され、入力端子ＩＰにおいて電流値（負荷電流）を測定し、電流信号をプロセッサユニット１２３２まで送信する。負荷電流が設定値を超えたとき、プロセッサユニット１２３２が切替ユニット１２３３の入力端子ＩＰと出力端子ＯＰの間を非通電に切り替えて、電源の出力を遮断する。
【００３５】
通常の過負荷保護は配電ボックス中の無ヒューズ開閉器のトリップによるものだが、無ヒューズ開閉器がトリップしたときは、建築構造内の電力線はすでに過負荷（ｏｖｅｒ  ｌｏａｄ）状態で高温になっており、電力線が経年劣化して負荷能力が落ちてくると、電線の発火といった重大な事故が起こるおそれがある。よって、電流監視ユニット１２３４で負荷電流の情報を伝えることは、建築構造内に配置された電力線を保護し、事故発生の可能性を低下させることにつながる。
【００３６】
次に、図５に示すように、本考案であるタッチパネル式電源コンセント１０の代表的な実施例では、制御モジュール１２３に無線信号送信ユニット１２３５を設けてもよい。
無線信号送信ユニット１２３５は、プロセッサユニット１２３２及び電源供給モジュール１５と電気的に接続され、無線信号を送受信する。無線信号送信ユニット１２３５は、アクセスポイント、モバイル通信装置または端末とつなげて無線信号を発信することができ、この実施例においては、モバイル通信装置を例に説明する。
無線信号送信ユニット１２３５は、タッチパネル式電源コンセントの状態（通電または非通電）や設定情報（タッチパネルの指の動作）をモバイル通信装置に伝え、利用者にコンセントの状態を知らせることができる。利用者はモバイル通信装置を用いてタッチパネル式電源コンセントの状態や設定を変更でき、周囲の電源コンセントの状態を把握できる。さらには、上記の電流監視ユニット１２３４と併用すれば、利用者は負荷の状態も随時把握することができる。
【００３７】
図６に示すのは、本考案であるタッチパネル式電源コンセント１０Ａの第二の実施例であり、上記の実施例と異なる点は、コンセント本体１７のキャリアー１７１に第一表面１７１１と第二表面１７１２を貫通する穴Ｏ２がある点である。
差込口接点ユニット１７２は、ボックス１７２１、差込口１７２２及び接点機構１７２３を有する。ボックス１７２１は穴Ｏ２にはめ込む形で、且つ第一表面１７１１に露出する第一面、及び第二表面１７１２に露出する第二面をもつ。差込口１７２２はボックス１７２１の第一面にきており、接点機構１７２３はボックス１７２１の中にあって、しかも第二面に露出している。ここにおいて、差込口接点ユニット１７２は独立ユニットであり、穴Ｏ２に接着またははめ込みして、キャリアー１７１と一体化される。
【００３８】
上記の実施例においては、電源供給モジュール（たとえば、電池）を利用して、直流電源で駆動する電子ユニット（プロセッサユニット、無線信号送信ユニット、電流監視ユニット、タッチパネルモジュールなど）に直流電源を供給する。他の電力供給方法で駆動させてもよく、その場合は以下に説明する。
【００３９】
図７が上記の実施例と異なる点は、電源供給モジュールの代わりに電源変換ユニット１６を用いている点である。電源変換ユニット１６は電源２０と電気的に接続され、電源２０から供給される交流電源ＡＣを直流電源ＤＣに変換してからプロセッサユニット１２３２に供給して、これを駆動させる。
この実施例においては、電源変換ユニット１６はアダプター（Ａｄａｐｔｏｒ）を備えており、さらに直流電源変換器（ＤＣ／ＤＣ  Ｃｏｎｖｅｒｔｅｒ）を取り付けて、直流電源ＤＣを異なる電圧に変換して出力させてもよい（図中未表示）。
【００４０】
このほか、電源変換ユニット１６が出力する直流電源ＤＣを、タッチパネル式電源コンセント内において電源を用いて駆動する電子ユニット（上述の電流監視ユニット、無線信号送信ユニット、タッチパネルモジュールなど）に供給してもよいが、ここでは特に制限を加えない。
【００４１】
以上を総合すると、本考案であるタッチパネル式電源コンセントは、タッチパネルによって差込口接点ユニットへの電力供給の有無を制御する。こうすることで、利用者または子どもが誤って触れる確率を低下させ、家庭における電気使用上の安全性を向上させるものである。このほか、指の動作によるタッチパネル方式により切替の動作を難しくするとともに、誤って触れる確率を低下させる。また、無線信号送信ユニットを装着することで、遠隔操作により電源コンセントの通電状態を簡単に確認でき、不使用の電源コンセントを非通電の状態にしておくことができる。さらには、電流監視ユニットによるコントロールで、電源コンセントの負荷状態を把握し、設定した極限値に達すると、その電源コンセントへの電力供給を遮断するので、安全性を大幅に高めることができる。
【００４２】
本考案は実用新案登録の要件を満たしていると思われることから、ここに実用新案登録を申請する。ただし、以上は本考案における代表的な実施例にとどまり、本考案の実施形態を例を挙げて説明し、本考案の技術的な特徴を述べたのみであり、実用新案登録による保護範囲を限定するためのものではなく、これをもって実用新案登録請求の範囲が限定されるべきではない。
本考案に係る技能に精通した者が、本考案の趣旨に従い、適度な修飾や変化を加えることで同等の効果を得た場合は、以下における実用新案登録請求の範囲内とする。
【符号の説明】
【００４３】
１０、１０Ａ  タッチパネル式電源コンセント
１１  ケース
１１１、１７２１  ハウジング
１１２  固定部
１１３  第一連接部
１１４  第二連接部
１１５  第三連接部
１２、１７  コンセント本体
１２１、１７１  キャリアー
１２１１、１７１１  第一表面
１２１２、１７１２  第二表面
１２２、１７２  差込口接点ユニット
１２２１、１３１、１７２２  差込口
１２２２、１７２３  接点機構
１２３  制御モジュール
１２３２  プロセッサユニット
１２３３  切替ユニット
１２３４  電流監視ユニット
１２３５  無線信号送信ユニット
１２４  第四連接部
１３  カバー
１３２  タッチパネルエリア
１３３  第五連接部
１３４  シールド層
１４  タッチパネルモジュール
１５  電源供給モジュール
１６  電源変換ユニット
２０  電源
ＩＰ  入力端子
ＯＰ  出力端子
ＣＰ  制御端子
Ｃ１  埋込み空間
Ｏ１  開口部
Ｏ２  穴
ＡＣ  交流電源
ＤＣ  直流電源
【図１】
0003195918.tif 000003
【図２】
0003195918.tif 000004
【図３】
0003195918.tif 000005
【図４】
0003195918.tif 000006
【図５】
0003195918.tif 000007
【図６】
0003195918.tif 000008
【図７】
0003195918.tif 000009